(57)【要約】【課題】  フィルムキャリアをスキャナユニットから取り外して傾けた場合でも、簡易な構成により、マスクユニットがフィルムキャリアから脱落して落下することを防止することが可能なフィルムキャリアを提供する。【解決手段】  マルチマスクキャリア１０では、移動テーブル１８の一部に、フィルムマスク２５の脱落防止機構としてのロック機構１９を備えている。ロック機構１９に含まれるロックプレート１９ａは、通常時には、穴部１９ｂ内に収納されている一方、取っ手部２３を上にしてマルチマスクキャリア１０（移動テーブル１８）を傾けた場合には、穴部１９ｂの内部から外側に向かって重力による自然落下によって移動し、フィルムマスク２５の一部を引っ掛ける。【選択図】      図５
2007036506.tif 000002
【特許請求の範囲】
【請求項１】
フィルムに対して光を照射し、その透過光を検出して前記フィルムに担持された画像情報を取得するスキャナユニットに対して取り付けられ、前記フィルムを搬送するフィルムキャリアであって、
前記フィルムを装填して搬送する基台部と、
前記基台部の上面に装着され、前記フィルムを前記透過光の光軸上で支持するマスクユニットと、
前記基台部が傾いた際に重力によって移動して前記マスクユニットの一部を前記基台部に引っ掛ける移動部材を有する脱落防止機構と、
を備えているフィルムキャリア。
【請求項２】
前記移動部材は、前記基台部側に設けられており、前記基台部が傾いた際には前記マスクユニットに形成された凹部内に移動する、
請求項１に記載のフィルムキャリア。
【請求項３】
前記移動部材は、前記マスクユニット側に設けられており、前記基台部が傾いた際には前記基台部側に形成された凹部内に移動する、
請求項１に記載のフィルムキャリア。
【請求項４】
前記基台部は、前記スキャナユニットに対して先に装着される第１の端部と、前記第１の端部が装着された後に前記スキャナユニットに対して装着される第２の端部と、を有しており、
前記移動部材は、前記第２の端部側に設けられており、前記基台部が傾いた際には前記第１の端部側に向かって移動する、
請求項１から３のいずれか１項に記載のフィルムキャリア。
【請求項５】
前記基台部は、前記第２の端部側に持ち運び用の取っ手部をさらに有している、
請求項４に記載のフィルムキャリア。
【発明の詳細な説明】
【技術分野】
【０００１】
本発明は、写真等が撮影された現像処理済みのフィルムに対して光を照射し、フィルムを透過した光を検出してフィルムに担持された画像情報を読み取るスキャナユニットに対して取り付けられるフィルムキャリアであって、特に、フィルムを透過光の光軸上で支持するマスクユニットを備えたフィルムキャリアに関する。
【背景技術】
【０００２】
従来より、写真フィルムに記録された画像情報をＲ・Ｇ・Ｂの各色成分に分解して読み取り、読み取られた画像データに対して補正等の画像処理を行った後、記録材料やディスプレイ上へ表示する写真処理装置が用いられている。
写真処理装置には、長尺あるいはシート状の写真フィルムに記録された画像情報を、ＣＣＤセンサ等を用いて高精度かつ高速で読み取るスキャナユニットと、このスキャナユニットの走査部上へ所定の速度で写真フィルムを搬送するフィルムキャリアとが含まれている。
【０００３】
例えば、特許文献１には、走査部上に装着される基台と、基台上を移動可能な原稿台と、原稿台にセットされるマスクと、マスクとの間に写真感光材料を挟持する圧着板と、原稿台を基台上で往復移動させる移動手段と、マスクに設けられ写真感光材料を搬送する搬送手段と、を有するフィルムキャリアが開示されている。
この構成によれば、マスクに搬送手段が設けられているため圧着板を開いて写真フィルムをコマ送りする必要がなくなり、オペレータにとって使い勝手のよいフィルムキャリアを得ることができる。
【特許文献１】特開２０００−０７５４１７号公報（平成１２年３月１４日公開）
【発明の開示】
【発明が解決しようとする課題】
【０００４】
しかしながら、上記従来のフィルムキャリアでは、以下に示すような問題点を有している。
すなわち、搬送手段を備えたマスクの部分は、フィルムのサイズ等に合わせて効率よく交換可能とするために、原稿台にセットされるときに原稿台に対して固定する等の措置がとられていない。このため、フィルムキャリアをスキャナユニットから取り外して傾けた際に、マスクがフィルムキャリアから脱落して落下するおそれがある。
【０００５】
本発明の課題は、フィルムキャリアをスキャナユニットから取り外して傾けた場合でも、簡易な構成により、マスクユニットがフィルムキャリアから脱落して落下することを防止することが可能なフィルムキャリアを提供することにある。
【課題を解決するための手段】
【０００６】
第１の発明に係るフィルムキャリアは、フィルムに対して光を照射し、その透過光を検出してフィルムに担持された画像情報を取得するスキャナユニットに対して取り付けられ、フィルムを搬送するフィルムキャリアであって、基台部と、マスクユニットと、脱落防止機構とを備えている。基台部は、フィルムを装填して搬送する。マスクユニットは、基台部の上面に装着され、フィルムを透過光の光軸上で支持する。脱落防止機構は、基台部が傾いた際に重力によって移動してマスクユニットの一部を基台部に引っ掛ける移動部材を有している。
【０００７】
ここでは、例えば、フィルムスキャナをスキャナユニットから取り外して運ぶ際等において基台部が傾いた場合でも、基台部の上面に装着されたマスクユニットが脱落することを防止する機構として、移動部材を有する脱落防止機構を備えている。
ここで、脱落防止機構が有している移動部材とは、例えば、マスクユニットを基台部に装着する際には基台部の内部に隠れており、基台部が傾いた際には重力によって傾けた方向（例えば、マスクユニットの上部あるいは内部）に移動する板状の部材（ロックプレート）等が含まれる。
【０００８】
通常、フィルムキャリアの基台部上に装着されるマスクユニットは、フィルムサイズに合わせて交換できるように簡単に取り外すことができるようになっている。このため、フィルムキャリアをスキャナユニットから取り外して持ち歩く際等にフィルムキャリアを傾けた場合には、フィルムキャリアの基台部上のマスクユニットが脱落して落下し、マスクユニットが損傷する等の不具合が発生するおそれがある。
【０００９】
本発明のフィルムキャリアでは、このようなフィルムキャリアを傾けた際において、マスクユニットを装着する基台部等から自重によって落下移動する移動部材を有する脱落防止機構を備えている。この移動部材は、例えば、フィルムキャリアを傾けた際にマスクユニットの一部の上部に移動して、マスクユニットの一部を引っ掛けるようにしてマスクユニットが基台部上から脱落することを防止する。
【００１０】
これにより、マスクユニットの前面の一部を覆うように移動部材が重力によって移動することで、マスクユニットの脱落を防止することができる。そして、コストアップすることのない単純な機構によってマスクユニットの脱落による破損等の問題の発生を回避することができる。
【００１１】
第２の発明に係るフィルムキャリアは、第１の発明に係るフィルムキャリアであって、移動部材は、基台部側に設けられており、基台部が傾いた際にはマスクユニットに形成された凹部内に移動する。
ここでは、基台部側に設けられた移動部材の移動先となる部位（凹部）をマスクユニットに形成している。
これにより、フィルムキャリアを傾けた場合には、基台部側からマスクユニットの一部である凹部内に移動部材が移動することで、マスクユニットの一部を引っ掛けるようにしてその脱落を防止することができる。
【００１２】
第３の発明に係るフィルムキャリアは、第１の発明に係るフィルムキャリアであって、移動部材は、マスクユニット側に設けられており、基台部が傾いた際には基台部側に形成された凹部内に移動する。
ここでは、マスクユニット側に設けられた移動部材の移動先となる部位（凹部）を基台部に形成している。
これにより、フィルムキャリアを傾けた場合には、マスクユニット側から基台部の一部である凹部内に、脱落防止機構の移動部材が移動することで、マスクユニットの一部と基台部の一部とが引っ掛かってマスクユニットが基台部上から脱落することを防止することができる。
【００１３】
第４の発明に係るフィルムキャリアは、第１から第３の発明のいずれか１つに係るフィルムキャリアであって、基台部は、スキャナユニットに対して先に装着される第１の端部と、第１の端部が装着された後にスキャナユニットに対して装着される第２の端部と、を有している。そして、移動部材は、第２の端部側に設けられており、基台部が傾いた際には第１の端部側に向かって移動する。
【００１４】
ここでは、フィルムキャリアの基台部において、スキャナユニットからフィルムキャリアを取り外す際に先に持ち上げられる第２の端部側に移動部材を設けている。
これにより、フィルムキャリアを取り外す際に上部になる側から移動部材をマスクユニットの一部分上に落下移動させることで、効果的にマスクユニットの脱落を防止することができる。
【００１５】
第５の発明に係るフィルムキャリアは、第４の発明に係るフィルムキャリアであって、基台部は、第２の端部に持ち運び用の取っ手部をさらに有している。
ここでは、基台部における第１の端部が装着された後にスキャナユニットに対して装着される第２の端部に、フィルムキャリア持ち運び用の取っ手部を設けている。このため、スキャナユニットから取り外されたフィルムキャリアは縦向きにして移動する可能性が高くなる。
【００１６】
これに対して、本発明のフィルムキャリアでは、上述した移動部材を備えているため、取っ手部を上にしてスキャナユニットを縦向きにした場合でも、この移動部材の重力による移動（例えば、自然落下）によってフィルムキャリアの基台部上からマスクユニットが脱落することを防止することができる。
【発明の効果】
【００１７】
第１の発明に係るフィルムキャリアによれば、コストアップすることなく、単純な機構によってマスクユニットの脱落による破損等の問題の発生を回避することができる。
第２の発明に係るフィルムキャリアによれば、マスクユニットの一部を引っ掛けるようにしてその脱落を防止することができる。
第３の発明に係るフィルムキャリアによれば、マスクユニットの一部と基台部の一部とが引っ掛かってマスクユニットが基台部上から脱落することを防止することができる。
【００１８】
第４の発明に係るフィルムキャリアによれば、効果的にマスクユニットの脱落を防止することができる。
第５の発明に係るフィルムキャリアによれば、取っ手部を上にしてスキャナユニットを縦向きにした場合でも、この移動部材の自重による移動によってフィルムキャリアの基台部上からマスクユニットが脱落することを防止することができる。
【発明を実施するための最良の形態】
【００１９】
本発明の一実施形態に係るマルチマスクキャリア（フィルムキャリア）を搭載した画像入力ステーション１について、図１〜図５（ｂ）を用いて説明すれば以下の通りである。
なお、以下の説明で用いる「奥側」とは、図３等に示すフィルムキャリア装着部４に対するマルチマスクキャリア１０の取り付け時におけるマルチマスクキャリア１０の奥側（ステッピングモータ１４側）を意味しており、「手前側」とは、同じく取り付け時におけるマルチマスクキャリア１０の手前側（取っ手部２３側）を意味するものとする。
【００２０】
［画像入力ステーション１全体の構成］
本実施形態に係る画像入力ステーション１は、図１に示すように、フィルムスキャナ部２、制御装置７、モニタ８等を備えている。
フィルムスキャナ部２は、現像済みの写真フィルムに対して光を照射し、この透過光を検出することで、写真フィルムに担持されているアナログ画像データを取得する。
【００２１】
制御装置７は、フィルムスキャナ部２によって取得された画像データに対して各種処理を行う。また、制御装置７は、データを処理するためのコンピュータ（図示せず）、およびデジタル記録メディアから画像情報を取得するためのメディアリーダ部７ａを備えている。このデジタル記録メディアとしては、例えば、ＣＤ−ＲＯＭ、ＣＤ−Ｒ、ＭＯ、コンパクトフラッシュ（登録商標）等が含まれる。
【００２２】
モニタ８は、処理された画像情報を視覚化する。
画像入力ステーション１によって得られた画像データは、制御装置７に含まれるコンピュータによって処理された後、例えば、画像入力ステーション１に隣接配置された写真プリント装置（図示せず）等によって写真プリントとして出力される。
（フィルムスキャナ部２の構成）
フィルムスキャナ部２は、光源部３、フィルムキャリア装着部４、ズームレンズユニット５およびラインＣＣＤ６等を備えている。
【００２３】
フィルムキャリア装着部４は、複数のタイプのフィルムキャリアを装着可能となっている。また、フィルムキャリア装着部４には、フィルムが搬送されるレーンを切り換えることによって、１３５フィルムとＩＸ２４０（ＡＰＳ）フィルムのいずれも支持可能な１３５ＡＰＳ兼用オートフィルムキャリア（図示せず）や、種々のフィルムを選択的に支持可能なマルチマスクキャリア（フィルムキャリア）１０が装着される。
【００２４】
なお、マルチマスクキャリア１０において扱えるフィルムとしては、６ｃｍ×６ｃｍ、６ｃｍ×７ｃｍ、６ｃｍ×９ｃｍ等の種々のフォーマットで撮影された１２０（２２０）フィルム、および紙やプラスチック製のマウントに保持されたスライドフィルム等が含まれる。
ズームレンズユニット５は、写真フィルムの幅に応じて、ラインＣＣＤ６に結像する画像の倍率を変更する。
【００２５】
ラインＣＣＤ６は、光源部３から照射され、フィルムキャリア内の写真フィルムを透過した光を検出する。
（マルチマスクキャリア１０の構成）
マルチマスクキャリア１０は、図２（ａ）、図２（ｂ）および図３に示すように、キャリア本体１２と、キャリア本体１２上を左右に一定速度で移動する移動テーブル（基台部）１８と、を備えている。そして、フィルムキャリア装着部４に装着される際には、奥側の端部を先に差し込んだ後、手前側の端部をフィルムキャリア装着部４に載置する。
【００２６】
キャリア本体１２は、図２（ａ）、図２（ｂ）および図３に示すように、螺軸１３、ステッピングモータ１４、タイミングベルト１５、および持ち運び用の取っ手部２３を備えている。
螺軸１３は、ステッピングモータ１４からの回転駆動力が伝達されて、左右に延びた軸芯回りで回転する。
【００２７】
タイミングベルト１５は、螺軸１３とステッピングモータ１４とを同期回転させる。
また、キャリア本体１２の左右の中央より右寄りには、図２（ｂ）に示すように、フィルムビュワー１６が設けられている。このフィルムビュワー１６は、ホームポジションに位置する移動テーブル１８に支持された写真フィルムに対してバックライトを照射する。
さらに、キャリア本体１２の左右の中央より左寄りには、光透過用スリット１２ａが設けられている。光透過用スリット１２ａは、透過光をズームレンズユニット５およびラインＣＣＤ６へ到達させるために前後方向に細長く延びている。
【００２８】
移動テーブル１８は、ナット部１８ａによって螺軸１３と常に螺合している。このため、螺軸１３をステッピングモータ１４によって定速回転させることにより、移動テーブル１８を一定の速度で左右に移動させることができる。また、移動テーブル１８は、図３に示すように、移動テーブル１８に支持される写真フィルムＦの最大サイズの画像駒（約６ｃｍ×約９ｃｍ）を包囲できる大きさの矩形窓状の開口フレーム部１８ｂを有している。
さらに、移動テーブル１８上には、１２０（２２０）フィルムを支持するフィルムマスク２５や、スライドマウントを支持するためのマウントマスク（図示せず）等、複数種類のフィルムマスクが載置される。そして、移動テーブル１８は、移動テーブル１８上に載置されたフィルムマスク２５の脱落を防止するためのロック機構（脱落防止機構）１９を有している。
【００２９】
ロック機構１９は、キャリア本体１２を斜めにした際にフィルムマスク（マスクユニット）２５が移動テーブル１８上から脱落することを防止するための機構であって、図５（ａ）および図５（ｂ）に示すように、ロックプレート（移動部材）１９ａと、穴部１９ｂと、ロック解除部１９ｃを有している。そして、ロックプレート１９ａは、キャリア本体１２を水平面に沿って配置されている時（以下、通常時と示す）には、図５（ａ）に示すように、キャリア本体１２の手前側部分に形成された穴部１９ｂの中に収納されており、非ロック状態となっている。一方、取っ手部２３を上にしてキャリア本体１２を斜めにしたときには、図５（ｂ）に示すように、フィルムマスク２５側に移動して突出して、ロック状態となる。これにより、フィルムマスク２５の一部をロックプレート１９ａによって引っ掛けるようにしてフィルムマスク２５を保持し、移動テーブル１８上から脱落することを防止することができる。なお、このロック機構１９を用いたフィルムマスク２５の脱落防止機構については後段にて詳述する。
【００３０】
（フィルムマスク２５の構成）
ここでは、６ｃｍ×９ｃｍのフォーマットで撮影された１２０（２２０）ポジフィルムＦを支持するフィルムマスク２５を例に挙げて説明する。
フィルムマスク２５は、図３および図４に示すように、手前側の端面に形成された凹部２５ａと、移動テーブル１８上に載置される板状のマスク本体３０と、マスク本体３０に対して揺動可能に支持されたマスクカバー４０とを有している。
【００３１】
凹部２５ａは、フィルムマスク２５の手前側の端面であって、上述した移動テーブル１８に設けられたロック機構１９（ロックプレート１９ａ、穴部１９ｂ等）と対向する位置に形成されている。そして、キャリア本体１２を傾けると、ロック機構１９の穴部１９ｂ内から移動してくるロックプレート１９ａが凹部２５ａ内に侵入する。
マスク本体３０には、図４に示すように、矩形の開口部３０ａが設けられている。そして、この開口部３０ａには、フィルムを支持するための支持プレート３１が嵌め込まれている。
【００３２】
支持プレート３１は、ガラス板によって形成されており、その周縁部には矩形のマスキング領域３２が設けられている。マスキング領域３２は、支持プレート３１のガラス板の上面にシルクスクリーン印刷により遮光性の黒色塗料を塗布することで形成されている。そして、マスキング領域３２は、支持プレート３１にポジフィルムＦが支持された時に、光源部３からの光がポジフィルムの黒い未露光周縁部の外側から漏れてハレーション等を起こすことを防止する。
【００３３】
また、マスキング領域３２の内側に形成された矩形の開口部３２ａは、無色透明のガラス板によって形成されている。
なお、マスキング領域３２を形成する左右の辺の中心部分には、マスキング領域３２の開口部３２ａを部分的に拡張するために、外向きに突出した略半円形状の補助凹部３２ｂが形成されている。この補助凹部３２ｂは、ポジフィルムＦに担持された撮影コマのエッジ部分を確認するために形成されている。
【００３４】
マスク本体３０の奥側の端部には、図４に示すように、左右一対のブラケット部３０ｂ，３０ｃが一体的に配置されている。そして、これらのブラケット部３０ｂ，３０ｃの間には、支持シャフト３３が横向きに支持されている。また、左側のブラケット部３０ｂの支持シャフト３３よりも手前側の箇所には、カバー本体４１に形成された規制孔４８に挿入される規制ピン３４が固定されている。
【００３５】
マスクカバー４０は、マスク本体３０の支持シャフト３３によって揺動自在に支持される鉄製のカバー本体４１と、カバー本体４１の内面側に懸架された押さえ板４２とを有する。
カバー本体４１および押さえ板４２には、マスク本体３０のマスキング領域３２の開口部３２ａを上回る寸法の矩形の開口部が形成されている。
【００３６】
カバー本体４１の奥側の右側には、図４に示すように、左右一対の縦フランジ部４５ａ，４５ｂが折り曲げ加工によって一体的に設けられている。そして、この縦フランジ部４５ａ，４５ｂに形成された貫通孔には、支持シャフト３３が挿入される。
また、右側の縦フランジ部４５ｂとマスク本体３０の右側のブラケット部３０ｃとの間に形成される間隙には、支持シャフト３３に外嵌するコイルバネ４７が設けられている。このため、カバー本体４１の左側の縦フランジ部４５ａは、このコイルバネ４７によってマスク本体３０の左側のブラケット部３０ｂの側面に押し付け付勢される。
【００３７】
さらに、カバー本体４１の奥側の左側には、移動テーブル１８の奥側に配置された電磁石２０によって吸着される被吸着部４９が設けられている。なお、マルチマスクキャリア１０のキャリア本体１２には、図３等に示すように、電磁石２０の吸引力を入り切りするためのＯＮ／ＯＦＦスイッチ２１が配置されている。
また、カバー本体４１の左側の縦フランジ部４５ａには、マスク本体３０の規制ピン３４を受け入れる長孔状の規制孔４８が形成されている。
【００３８】
規制孔４８の上下寸法（支持シャフト３３の軸芯を中心にした半径方向の寸法）は、規制ピン３４の外径を上回るように設定されている。規制ピン３４が規制孔４８内に係入されている状態で、規制孔４８はカバー本体４１の揺動範囲を、マスクカバー４０がマスク本体３０に押し付けられた「全閉位置」と、マスクカバー４０が約２０°の角度で開いた「半開位置」との間に規制する役目を果たしている。「半開位置」では、マスクカバー４０とマスク本体３０の支持プレート３１との間に十分な間隔が得られるので、オペレータは支持プレート３１上にポジフィルムＦを安全に、すなわち、ポジフィルムＦを傷付けずに、載置させることができ、同時に、支持プレート３１に支持されたポジフィルムＦをマスキング領域３２に対して左右に自由に位置調節できる。
【００３９】
＜マルチマスクキャリア１０におけるフィルムマスク２５の脱落防止機構＞
本実施形態のマルチマスクキャリア１０では、キャリア本体１２を傾けた際におけるキャリア本体１２に取り付けられるフィルムマスク２５の脱落を防止するための機構として、ロック機構１９を備えている。
ここで、フィルムマスク２５は、上述のように、複数種類のフィルムマスクとの間で容易に交換可能とするために、図３に示すように、そのままキャリア本体１２に対して固定等されることなく載置される。このため、フィルムマスク２５を載置した状態で、フィルムスキャナ部２におけるフィルムキャリア装着部４からマルチマスクキャリア１０を取り外す場合において、キャリア本体１２の一端に取り付けられた取っ手部２３を上に持ち上げるようにしてキャリア本体１２が斜めになると、移動テーブル１８上からフィルムマスク２５が脱落してしまうおそれがある。
【００４０】
そこで、本実施形態のマルチマスクキャリア１０では、キャリア本体１２上を移動する移動テーブル１８の一部に、キャリア本体１２を斜めにした際におけるフィルムマスク２５の脱落を防止するための機構として、ロック機構１９を備えている。
ロック機構１９は、図２（ａ）〜図３に示すように、移動テーブル１８の手前側の端部に形成された穴部１９ｂ（図５（ａ）参照）と、通常時にはこの穴部１９ｂ（図５（ａ）参照）内に収納されておりキャリア本体１２を斜めにするとフィルムマスク２５の一部の上部を覆うように移動するロックプレート１９ａ（図５（ａ）参照）と、ロックプレート１９ａ上に固定されたロック解除部１９ｃとを備えている。
【００４１】
ロックプレート１９ａは、通常時には、図５（ａ）に示すように、フィルムマスク２５の端面に形成された凹部２５ａに対向する位置に待機しており、非ロック状態となっている。そして、取っ手部２３を持ち上げるようにしてキャリア本体１２を斜めにすると、図５（ｂ）に示すように、穴部１９ｂ内から自然落下するようにフィルムマスク２５の凹部２５ａの内部へと移動して、ロック状態となる。換言すれば、キャリア本体１２を斜めにすると、ロックプレート１９ａは、鉛直下向きにかかる重力によって移動テーブル１８の表面に沿って下向きに移動し、穴部１９ｂから突出してフィルムマスク２５の一部分（凹部２５ａ）を引っ掛ける。
【００４２】
穴部１９ｂは、図５（ａ）等に示すように、移動テーブル１８における手前側の凸部分１２ｂにおける奥側の側面に、フィルムマスク２５の取り付け側から手前側に向かって形成されている。
ロック解除部１９ｃは、図５（ａ）に示すように、非ロック状態ではロックプレート１９ａとともに待機位置にあり、図５（ｂ）に示すように、ロック状態に移行するとロックプレート１９ａとともにフィルムマスク２５の方へ移動する。そして、ロック状態を解除する場合には、このロック解除部１９ｃの部分を手動で押し下げて非ロック状態とすることができる。また、表面に露出しているロック解除部１９ｃがロックプレート１９ａとともに移動することにより、図５（ｂ）に示すロック状態であるか否かを容易に認識することができる。
【００４３】
本実施形態では、以上のような構成のロック機構１９を用いて、フィルムスキャナ部２のフィルムキャリア装着部４からマルチマスクキャリア１０を取り外す際や、取り外し後の運搬時等において、取っ手部２３を上にしてマルチマスクキャリア１０（キャリア本体１２）を斜め、あるいは縦向きにした場合でも、キャリア本体１２上に載置されたフィルムマスク２５が脱落して破損する等の不具合の発生を回避することができる。
【００４４】
具体的には、ロック機構１９では、図５（ａ）に示すように、通常には移動テーブル１８の一部に形成された穴部１９ｂ内にロックプレート１９ａが隠れている。そして、マルチマスクキャリア１０が斜め、あるいは縦向きになると、図５（ｂ）に示すように、ロックプレートが自然落下するように穴部１９ｂ内から外側に向かって移動する。このとき、ロック機構１９の穴部１９ｂは、フィルムマスク２５の手前側（取っ手部２３側）の端面に形成された凹部２５ａと対向するように配置されているため、穴部１９ｂから外部へ出て行ったロックプレート１９ａは凹部２５ａ内に侵入して停止する。
【００４５】
本実施形態のマルチマスクキャリア１０では、以上のように、取っ手部２３を上にした状態でマルチマスクキャリア１０を斜め、あるいは縦向きにした場合には、フィルムマスク２５の一部（凹部２５ａ）を引っ掛けるような位置まで自然落下によって移動するロックプレート１９ａを含むロック機構１９を備えている。
これにより、複雑な機構を設けることなく、マルチマスクキャリア１０を斜め、あるいは縦向きにした場合におけるフィルムマスク２５の移動テーブル１８上からの脱落を防止することができる。
【００４６】
なお、ここで説明したロック機構１９は、移動テーブル１８の一部に設けられているため、移動テーブル１８上に載置されたフィルムマスク２５がキャリア本体１２上におけるどの位置にある場合でも、フィルムマスク２５の一部にかかるようにロックプレート１９ａを進出させることができる。
［本マルチマスクキャリア１０の特徴］
（１）
本実施形態のマルチマスクキャリア１０では、図２（ａ）、図２（ｂ）および図３等に示すように、移動テーブル１８の一部に、フィルムマスク２５の脱落防止機構としてのロック機構１９を備えている。そして、ロック機構１９に含まれるロックプレート１９ａは、通常時には、図５（ａ）に示すように穴部１９ｂ内に収納されている一方、マルチマスクキャリア１０（移動テーブル１８）を取っ手部２３を上にして傾けた場合には、穴部１９ｂの内部から外側に向かって重力による自然落下によって移動し、フィルムマスク２５の一部を引っ掛ける。
【００４７】
これにより、マルチマスクキャリア１０を取っ手部２３を上にして傾けたり、縦向きにして持ち運んだりした場合には、ロックプレート１９ａが自然落下によって移動してフィルムマスク２５の一部を引っ掛けるようにして保持することができる。このように、必要なときにだけロックプレート１９ａが移動してフィルムマスク２５を保持することで、フィルムマスク２５を移動テーブル１８に対して固定等することなく、簡易な構成によりフィルムマスク２５の移動テーブル１８上からの脱落を防止することができる。
【００４８】
（２）
本実施形態のマルチマスクキャリア１０では、ロック機構１９（ロックプレート１９ａおよび穴部１９ｂ）を、移動テーブル１８側に設けている。そして、ロック機構１９のロックプレート１９ａが自然落下によって移動した際に侵入する凹部２５ａを、保持対象であるフィルムマスク２５に設けている。
【００４９】
このため、マルチマスクキャリア１０を傾けた場合には、移動テーブル１８に形成された穴部１９ｂからロックプレート１９ａが自然落下によって移動して突出し、フィルムマスク２５に形成された凹部２５ａ内に侵入する。
これにより、フィルムマスク２５の一部に形成された凹部２５ａの部分を、ロックプレート１９ａによって保持することで、フィルムマスク２５が移動テーブル１８上から脱落することを防止することができる。
【００５０】
（３）
本実施形態のマルチマスクキャリア１０では、フィルムキャリア装着部４に対して取り付けられる際には、奥側の端部を先に差し込んでから手前側の端部をフィルムキャリア装着部４上に載置する。そして、フィルムマスク２５の脱落を防止するためのロック機構１９（ロックプレート１９ａ）は、マルチマスクキャリア１０に含まれる移動テーブル１８における手前側の端部に設けられている。
【００５１】
これにより、マルチマスクキャリア１０を取り外す場合には、取り付け時とは反対に、先に手前側の端部を持ち上げてから奥側の端部をフィルムキャリア装着部４から抜き取るため、手前側の端部が上になるように斜めになることが予想される。そして、マルチマスクキャリア１０を取り外す際に上になる側の端部（手前側の端部）にロック機構１９を設けているため、ここからロックプレート１９ａを自然落下させてフィルムマスク２５の端面に形成された凹部２５ａへ侵入させることができる。この結果、マルチマスクキャリア１０を取り外す際に斜めにした場合でも、フィルムマスク２５の一部を保持する位置へロックプレート１９ａをスムーズに移動させることができる。
【００５２】
（４）
本実施形態のマルチマスクキャリア１０では、マルチマスクキャリア１０をフィルムキャリア装着部４から取り外す際に、先に持ち上げる手前側の端部に取っ手部２３を設けている。
このため、取っ手部２３を持つことで、マルチマスクキャリア１０をフィルムキャリア装着部４から取り外し易くなるとともに、取っ手部２３が設けられた側の移動テーブル１８の一部にロック機構１９を設けているため、マルチマスクキャリア１０を斜めにした際に上部となる側からロックプレート１９ａを自然落下させることで、フィルムマスク２５の移動テーブル１８上からの脱落を防止することができる。
【００５３】
［他の実施形態］
以上、本発明の一実施形態について説明したが、本発明は上記実施形態に限定されるものではなく、発明の要旨を逸脱しない範囲で種々の変更が可能である。
（Ａ）
上記実施形態では、キャリア本体１２の一部に取り付けられたロックプレート１９ａが、キャリア本体１２側からフィルムマスク２５の一部に形成された凹部２５ａの内部に移動することで、フィルムマスク２５の移動テーブル１８上からの脱落を防止する例を挙げて説明した。しかし、本発明はこれに限定されるものではない。
【００５４】
例えば、フィルムマスクの一部に取り付けられたロックプレートがキャリア本体側に形成された凹部の内部に移動する構成であってもよい。この場合でも、フィルムマスクの移動テーブル上からの脱落を防止することが可能になる。
（Ｂ）
上記実施形態では、ロックプレート１９ａがフィルムマスク２５に形成された凹部２５ａに侵入することで、フィルムマスク２５の移動テーブル１８上からの脱落を防止する例を挙げて説明した。しかし、本発明はこれに限定されるものではない。
【００５５】
フィルムマスク２５における手前側の端面に凹部２５ａが形成されていることは必須ではなく、例えば、フィルムマスク２５の一部の上部にかかるようにロックプレート１９ａが移動してくることで、フィルムマスク２５の移動テーブル１８上からの脱落を防止してもよい。
また、移動部材としては、ロックプレートのような板状部材に限定されるものではなく、例えば、ピン状の棒部材であってもよい。
【００５６】
さらに、移動部材は、１つに限定されるものではなく、複数設けられていてもよい。
（Ｃ）
上記実施形態では、ロック機構１９をキャリア本体１２の手前側に設けた例を挙げて説明した。しかし、本発明はこれに限定されるものではない。
例えば、取っ手部がポジフィルムの搬送方向におけるいずれか一方の側に設けられている場合には、その取っ手部側から反対側に向かって移動する位置にロックプレートを設けたロック機構であってもよい。この場合でも、取っ手部を持って運ぶ際にはロックプレートが穴部から突出するため、移動テーブル上からのフィルムマスクの脱落を防止することができる。
【００５７】
（Ｄ）
上記実施形態では、長尺のポジフィルムＦを移動テーブル１８の左右両側に垂らすようにしてポジフィルムＦに担持された画像情報を読み取る例を挙げて説明した。しかし、本発明はこれに限定されるものではない。
例えば、図６（ａ）および図６（ｂ）に示すように、移動テーブル１８の左右両側に磁石５１の吸引力によって取り付け可能なフィルムストック部５０を設け、長尺のポジフィルムＦを収納した状態で画像情報の読み取りを行ってもよい。この場合には、フィルムストック部５０に収納されたポジフィルムＦを目視で容易に確認することができるとともに、ポジフィルムＦを容易に取り除くことができる。さらに、フィルムストック部５０の表面側には、図７に示すように磁石５１が取り付けられているため、移動テーブル１８に対して容易に着脱することができる。
【００５８】
（Ｅ）
上記実施形態では、移動テーブル１８の一部にロック機構１９を設けた例を挙げて説明した。しかし、本発明はこれに限定されるものではない。
例えば、移動テーブル１８ではなく、移動テーブル１８を保持するキャリア本体１２の一部にロック機構１９を設けてもよい。
【００５９】
通常、マルチマスクキャリア１０をフィルムキャリア装着部４から取り外す時には、移動テーブル１８は初期位置に戻っているはずである。このため、移動テーブル１８がこの初期位置に停止している状態において、キャリア本体１２におけるフィルムマスク２５の一部を引っ掛けることが可能な位置にロック機構１９を設ければよい。
ただし、移動テーブル１８がキャリア本体１２上におけるどの位置にある場合でもフィルムマスク２５の脱落を防止できるという面では、上記実施形態のように、移動テーブル１８の一部にロック機構１９を設けることがより好ましい。
【００６０】
（Ｆ）
上記実施形態では、ロック機構１９が、ロックプレート１９ａと穴部１９ｂとから構成されている例を挙げて説明した。しかし、本発明はこれに限定されるものではない。
例えば、これらに加えて、ロックプレート１９ａの後端部と穴部１９ｂの最後部とをつなぐ位置に、重力によるロックプレート１８ａの移動を妨げない程度の小さいばね定数を有するばねを設けてもよい。このばねを設けることにより、マルチマスクキャリア１０を水平方向に沿って配置している際には、ロックプレートを穴部１９ｂの内部へと戻すことができる。
【産業上の利用可能性】
【００６１】
本発明のフィルムキャリアは、簡易な構成により、フィルムキャリアを傾けた際のマスクユニットの脱落を防止できるという効果を奏することから、フィルムキャリアに限らず、基台上にマスクユニット等の部材を載置して作業を行う各種装置に対して広く適用可能である。
【図面の簡単な説明】
【００６２】
【図１】本発明の一実施形態に係るマルチマスクキャリアを搭載した画像入力ステーションの全体の構成を示す外観図。
【図２】（ａ）および（ｂ）は、図１の画像入力ステーションに含まれるマルチマスクキャリアや移動テーブル上のフィルムマスクの構成を示す平面図。
【図３】図２（ａ）および図２（ｂ）に示すマルチマスクキャリアに対するフィルムマスクの取付け構造を示す斜視図。
【図４】図３のフィルムマスクの構成を示す斜視図。
【図５】（ａ）は、図３のマルチマスクキャリアにおけるフィルムマスクの脱落防止機構による非ロック状態を示す側断面図。（ｂ）は、図３のマルチマスクキャリアにおけるフィルムマスクの脱落防止機構によるロック状態を示す側断面図。
【図６】（ａ）、（ｂ）は、本発明の他の実施形態に係るマルチマスクキャリアを示す平面図と側面図。
【図７】図６（ａ）、図６（ｂ）のマルチマスクキャリアに取り付けられたフィルムストック部の構成を示す拡大図。
【符号の説明】
【００６３】
１      画像入力ステーション
２      フィルムスキャナ部
３      光源部
４      フィルムキャリア装着部
５      ズームレンズユニット
６      ラインＣＣＤ
７      制御装置
７ａ    メディアリーダ部
８      モニタ
１０      マルチマスクキャリア（フィルムキャリア）
１２      キャリア本体
１２ａ    光透過用スリット
１２ｂ    凸部
１３      螺軸
１４      ステッピングモータ
１５      タイミングベルト
１６      フィルムビュワー
１８      移動テーブル（基台部）
１８ａ    ナット部
１８ｂ    開口フレーム部
１９      ロック機構（脱落防止機構）
１９ａ    ロックプレート（移動部材）
１９ｂ    穴部
１９ｃ    ロック解除部
２０      電磁石
２１      ＯＮ／ＯＦＦスイッチ
２３      取っ手部
２５      フィルムマスク（マスクユニット）
２５ａ    凹部
３０      マスク本体
３０ａ    開口部
３０ｂ，３０ｃ  ブラケット部
３１      支持プレート
３２      マスキング領域
３２ａ    開口部
３２ｂ    補助凹部
３３      支持シャフト
３４      規制ピン
４０      マスクカバー
４１      カバー本体
４２      押さえ板
４５ａ，４５ｂ  縦フランジ部
４７      コイルバネ
４８      規制孔
４９      被吸着部
５０      フィルムストック部
５１      磁石
【図１】
2007036506.tif 000003
【図２】
2007036506.tif 000004
【図３】
2007036506.tif 000005
【図４】
2007036506.tif 000006
【図５】
2007036506.tif 000007
【図６】
2007036506.tif 000008
【図７】
2007036506.tif 000009